(57)【特許請求の範囲】
【請求項１】
衛生、消臭、および便器から利用者への液体の飛散防止のための器具であって：
長軸にそって該便器に吊られ、便器に排出された液体を吸収し、吸収した液体をさらに便器のドレインへと放出する液体浸透可能な容器：
該液体浸透可能な容器は複数の区画に再分割され、該区画は液体浸透可能な容器の長軸に対して水平及び垂直の一方を向いていて：
衛生化、消臭、便器に排出した液体の飛散防止のために区画内に埋め込まれた微粒子材料；ならびに
液体浸透可能な容器を便器に留める複数の留め具；を備え、
液体浸透可能な容器により衛生化、消臭、および、利用者への液体の飛散防止がなされる、器具。
【請求項２】
上記微粒子材料が、液体の飛散を防止するための飛散防止材料；液体からの不所望な臭いを除去するための臭い除去材料；および液体を洗浄し殺菌するための衛生材料；を含む請求項１記載の器具。
【請求項３】
飛散防止材料がシリカ及び軽石である請求項２記載の器具。
【請求項４】
飛散防止材料が水溶性化学物質である請求項２記載の器具。
【請求項５】
臭い除去材料がビーズ、タブレット、ブリケット（briquette）、粉末、ペレット、ディスペンサの１つ又はそれ以上である請求項２記載の器具。
【請求項６】
臭い除去材料が精油に浸されており、該精油が芳香性、消臭性、感染防止性および殺菌性の１つ以上を臭い除去材料に付与する、請求項２記載の器具。
【請求項７】
衛生材料が衛生ビーズ、衛生便器ブロック、衛生タブレット、衛生ブリケット、衛生粉末、衛生ペレット、衛生ディスペンサ、衛生粉、衛生結晶、衛生酵素の１つ以上である請求項２記載の器具。
【請求項８】
衛生材料が染色されておらずかつ芳香性が無い請求項２記載の器具。
【請求項９】
衛生材料がパラジクロロベンゼンフリーである請求項２記載の器具。
【請求項１０】
留め具が自己接着性フックであり、該自己接着性フックが耐水接着片を備える請求項１記載の器具。
【請求項１１】
留め具が吸引カップである請求項１記載の器具。
【請求項１２】
さらに、液体浸透可能な容器に取り付けられた、製品又はサービスの宣伝のための広告の層を有する請求項１記載の器具。
【請求項１３】
液体浸透可能な容器の開口端がシールされ、該シールされた液体浸透可能な容器の端は複数のパッキングにより固定された複数の穴をもつ伸びない小片を有していて、該パッキング及び伸びない小片は留め具を用いて便器に液体浸透可能な容器を留めるために用いられる、請求項１記載の器具。
【請求項１４】
伸びない小片が液体浸透可能な容器の構造を維持し、伸びない小片がプラスチックである請求項１３記載の器具。
【請求項１５】
液体浸透可能な容器が便器のドレインを覆って不所望な物質がドレインに入るのを妨げ、該不所望な物質は便器のドレインへの液体の流れを制限するものである、請求項１記載の器具。
【請求項１６】
液体浸透可能な容器が織布材料からなり、織布材料が密であることによって非液状物質が該液体浸透可能な容器を通過してしまうことを妨げる、請求項１記載の器具。
【請求項１７】
製品やサービスの広告、衛生化、消臭および便器に排出された液体の利用者への飛散防止のための器具であって、
長軸にそって該便器に吊られ、便器に排出された液体を吸収し、吸収した液体をさらに便器のドレインへと放出する液体浸透可能な容器：
該液体浸透可能な容器は複数の区画に再分割され、該区画は液体浸透可能な容器の長軸に対して水平及び垂直の一方を向いていて：
衛生化、消臭、便器に排出した液体の飛散防止のために区画内に埋め込まれた微粒子材料；
液体浸透可能な容器に取り付けられた広告の層であって、該広告の層には液体が液体浸透可能な容器に入るように穴があいていて；ならびに
液体浸透可能な容器を便器に留める複数の留め具；を備え、
液体浸透可能な容器により該製品又はサービスの宣伝、衛生化、消臭、および、利用者への液体の飛散防止がなされる、器具。
【請求項１８】
上記微粒子材料が：
液体の飛散を防止するための飛散防止材料；液体からの不所望な臭いを除去するための臭い除去材料；および液体を洗浄し殺菌するための衛生材料；の１つ又はそれ以上を含む請求項１７記載の器具。
【請求項１９】
該広告の層が耐水性のリサイクル可能な織布材料からなり、広告が防水かつ耐水インクを使って広告の層にプリントされる、請求項１７記載の器具。
【請求項２０】
広告が防水かつ耐水インクを使って液体浸透可能な容器に直接に印刷される請求項１９記載の器具。
【請求項２１】
液体浸透可能な容器が不織布材料からなり、不織布材料が密であることによって非液状物質が該液体浸透可能な容器を通過してしまうことを妨げる、請求項１記載の器具。
【請求項２２】
微粒子材料が液体の飛散を防止するための飛散防止材料を含む請求項１記載の器具。
【請求項２３】
微粒子材料が液体からの不所望な臭いを除去するための臭い除去材料を含む請求項１記載の器具。
【請求項２４】
微粒子材料が液体を洗浄し殺菌するための衛生材料を含む請求項１記載の器具。
【請求項２５】
伸びない小片が該小片の機械的性質の結果として液体浸透可能な容器の構造を維持する請求項１３記載の器具。
【請求項２６】
飛散防止材料がシリカである請求項２記載の器具。
【請求項２７】
飛散防止材料が軽石である請求項２記載の器具。
【請求項２８】
微粒子材料が過ほう酸ナトリウム四水和物であって感染防止性および殺菌性を有する請求項１記載の器具。
【請求項２９】
複数の止め具で便器の壁に留められた請求項２８記載の器具を有するウォーターフリーの便器。
【請求項３０】
ウォーターフリーの便器の壁に請求項２８記載の器具を留めることを包含する方法。
【発明の詳細な説明】
【技術分野】
【０００１】
関連出願の相互参照
本願は２００７年９月１９日付にて米国特許商標庁に出願した仮出願第60/973,686号、タイトル「衛生、広告、消臭、飛散防止の小便器の設計」の利益を主張する。
【背景技術】
【０００２】
本願は全般的には便器アタッチメントに関する。より詳細には、本願は衛生、広告、消臭および便器に排出された液体の飛散防止のための便器アタッチメントに関する。
【０００３】
一般に、便器は硬質であり実質的には鉛直な表面を有し、放出された小便はシンクその他の器具に流れ落ちる。便器が硬質な表面をもっているため、例えば洗浄水や唾や小便等の、高速で便器に放出される液体が飛散してしまう。液体が高速で便器に放出されると、その液体は便器の内壁の硬質表面に当たり、便器の内部近傍から外に跳ね返ってしまう。液体が跳ね返って、便器の内側および外側の近傍に付着することもある。便器の使用者が、不衛生で感染をもたらす微生物がいるかもしれない液体を受けてしまう可能性がある。跳ね返った液体は便器の周囲に好ましからざる臭いをもたらす可能性もある。利用者ら排出され得る不溶成分によって便器のドレインが詰まってしまい、それによって、ドレインへの液体の流れが制限されて、小便等が便器に蓄積して跳ね返り効果をさらに悪化させてしまうこともあり得る。
【０００４】
便器ブロックを典型的に有する従来の便器のスクリーンは液体の効果的な飛散防止に失敗している。これらの便器のスクリーンは液体の効果的な消臭および衛生ができない。さらに、便器ブロックは液体の流路に直接的に露出することもある。液体が便器ブロックに直接当たってただちに溶かしてしまうかもしれないし、便器ブロックが大きな塊へと崩れて液体とともにドレインに流れてしまうかもしれない。
【０００５】
このため、衛生、消臭および便器へ排出された液体の飛散防止のための便器アタッチメントが必要である。さらに、製品およびサービスを広告して利用者に広告メッセージを提示する便器アタッチメントが必要である。
【発明の概要】
【０００６】
以下さらに詳述する本発明の単純化した形態におけるコンセプトの選択を導入するためにここで概略を提示する。この概略は請求された主題についての発明概念のキーやエッセンスの特定を意図するものではなく、請求された主題の範囲の決定を意図するものでもない。
【０００７】
本明細書にて開示する器具は上記したニーズに対応し、製品やサービスを広告し、衛生、消臭および便器に排出された液体の飛散防止のためのものである。本器具によれば、利用者に広告メッセージも提示する。本明細書で開示する器具にはその長軸にそって吊るされた液体浸透可能な容器が備えられ、排出された液体がこの液体浸透可能な容器に吸収される。次いで、この液体浸透可能な容器は吸収した液体を便器のドレインへと放出する。液体としては、小便、洗浄水、唾、血液、尿等が包含される。液体浸透可能な容器は複数の区画に再分割されている。これらの区画は鉛直に向いていても、水平方向に向いていてもよい。液体浸透可能な容器には液体の飛散防止のために微粒子材料が区画内に埋め込まれている。この微粒子材料には液体の飛散を防止するための飛散防止材料、液体からの好ましからざる臭いを除去するための臭い除去材料、および、液体を洗浄・殺菌するための衛生材料が含まれている。液体浸透可能な容器は１つ又はそれ以上の留め具で留められていてもよい。
【０００８】
液体浸透可能な容器の開口端はシールされていて、複数の穴を有し、複数のパッキングで固定された、伸びない小片を伴っている。この伸びない小片により液体浸透可能な容器の形状を維持することができる。液体浸透可能な容器を留め具で便器に留めるためにこのパッキングが用いられる。液体浸透可能な容器はその表面に広告が印刷されていてもよい。広告の層が液体浸透可能な容器に取り付けられて製品やサービスを宣伝してもよい。広告の層により広告メッセージが利用者に提示される。広告メッセージは教育的なメッセージでもよいし、動機付けのメッセージでもよいし、インスピレーションメッセージ等でもよい。液体浸透可能な容器が便器を覆い、望ましからざる物質が便器のドレインに入るのが防止される。液体浸透可能な容器により表面に作用し得る液体の飛散が防止される。液体浸透可能な容器にある微粒子材料によって液体が緩衝される。
【０００９】
本明細書で開示する器具によれば、製品やサービスの広告、衛生化、消臭、および、排出された液体の飛散防止が同時に達成される。本器具の各コンポーネントは明確に定義されたユニークな機能を担い、それに加えて、他のコンポーネントの機能を補完し、拡張している。コンポーネントはそれらが組み合わされることにより、１つの器具として共通の機能を果たす。さらに、本器具によれば、効果的でビビッドな低廉のユニークな広告が可能であり、加えて、天然の無毒性の再生可能な材料を使うことにより環境にもやさしい。
【００１０】
上述の概略は、後述する発明の詳細とともに、添付図面とともに読むことでよりよく理解されよう。本発明の説明のために例示的な攻勢を図示する。しかし、本発明は開示された特定の方法や器具に限定されるわけでは無い。
【図面の簡単な説明】
【００１１】
【図１】製品やサービスの広告、衛生化、消臭、および、便器から利用者への液体の飛散防止のための器具を図示する。
【図２】便器内に配置された器具を例示する。
【図３】器具の内部構造を例示する。
【図４】器具に含まれる微粒子材料を例示する。
【図５】器具を便器に留めるために用いられる留め具を例示する。
【図６】広告の層をもつ器具を図示する。
【発明を実施するための形態】
【００１２】
図１は、製品やサービスの広告、衛生化、消臭、および、便器201から利用者への液体の飛散を防止するための器具100を図示する。本明細書では、器具100を「便器アタッチメント」と称する。便器アタッチメント100は液体浸透可能な容器102を備え、これを「容器」と称し、この容器は便器201における長軸に沿って吊るされている。AおよびA’は容器102の長軸を示す。容器102は複数の区画102aに再分割されている。区画102aは鉛直方向を向いていてもよいし、水平方向を向いていてもよい。容器102は容器102に排出された液体を吸収し、吸収した液体を図２に図示される便器201の底にあるドレイン（図示せず）へと放出する。液体には、小便、汚水、洗浄水、唾、血液、尿等が包含される。容器102には区画102aに埋め込まれた微粒子材料が備えられる。この微粒子材料には飛散防止材料402、臭い除去材料400、および、衛生材料401が含まれる。飛散防止材料402により、容器102の表面に排出された液体の飛散や跳ね返りが防止される。
【００１３】
臭い除去材料400により好ましからざる臭いが液体から除去される。臭い除去材料400は精油に浸してもよい。精油により芳香性、消臭性、殺菌性の１又はそれ以上が臭い除去材料400に付与される。臭い除去材料400との接触により、液体にこれらの性質を与えることができる。衛生材料401により液体が衛生化、殺菌、洗浄される。
【００１４】
便器アタッチメント100には複数の留め具105がさらに備えられている。留め具105により容器102が便器201に固定される。留め具105は例えば吸引カップ、自己接着性フック等であってもよい。便器アタッチメント100の容器102の開口端は、微粒子材料がこぼれないようにシールすることができる。容器102はいかなる形状でも大きさでもよい。容器102非液状物質は浸透させない。便器アタッチメント100には容器102に取り付けられた広告の層600がさらに備えられている。広告は容器102に直接プリントしていてもよい。図６に示すように、広告は容器102に取り付けられた広告の層にもプリントしてよい。
【００１５】
便器アタッチメント100にある区画102aはいかなる形状、大きさに設計されていてもよい。区画102a は予め定められた方向に向いていてもよい。図1に示すように、区画102aは水平方向に向いていてもよい。容器102は所定数の区画102aを有していてもよい。
【００１６】
容器102は織布材料からなるものであってもよい。容器102は不織布材料からなるものであっても良い。織布材料および不織布材料が密であることによって非液状物質が容器102を通過してしまうことを妨げる。織布材料は例えばプラスチック、シルク、ナイロン、ポリエステル、コットン、レイヨン、ウール等からなるものでもよい。織布材料はポリエチレン、ポリプロピレン、ポリ塩化ビニル、ポリエチレンテレフタレート、種々のタイプの合成ポリエステルメッシュ等の半硬質または柔軟な材料から形成される半透明または不透明な材料を有していてもよい。容器102のサイズと形状は、便器201のあらゆるタイプの形状に合わせることができる。
【００１７】
容器102は、例えば、ポリエステル、レイヨン、ナイロン、シルク、コットン、ウール、ジュート等のオーガンザ（organza）の１又はそれ以上の小片からなるものであってもよい。容器102は合成繊維材料からなるものであってもよい。合成繊維材料は、例えば、ポリエチレン(PE)、ポリプロピレン(PP)、ナイロン、ポリテトラフロロエチレン(PTFE)、ポリ塩化ビニル(PVC)、ポリエチレンテレフタレート(PET)、ポリエステル等からなるものでもよい。合成繊維材料における繊維によって、液体の浸透の程度に変化を与えることができる。
【００１８】
図２は便器201内に配置された便器アタッチメント100を例示する。便器アタッチメント100により便器201の外への液体の飛散および利用者への跳ね返りが回避される。便器アタッチメント100は容器102を便器201に留める留め具105を備える。便器201は上部セクション201a、第１の側壁201b、第２の側壁201c、背面壁201d、ボウルセクション201e、および縁セクション201fを備え、これらが一緒になって内側領域を形成している。一般には、内側領域によって例えば小便、洗浄水、汚水、唾等の排出された液体が収容される。便器201の縁セクション201fによって、便器201のボウルセクション201eの外側への液体の流出又は跳ね返りが回避される。便器201の洗浄のために便器201に水を供給するための配管装置（図示せず）が上部セクション201aに備えられている。
【００１９】
便器201のボウルセクション201eはドレイン装置（図示せず）を備える。ボウルセクション201eは便器201内から下水配管装置（図示せず）へと排出する汚水の少なくとも一部のための排出口を備える。さらに、便器201への洗浄水の流れを制御するための洗浄レギュレータ（図示せず）が配管装置に備えられている。上部セクション201a、背面壁201d、第１の側壁201bおよび第２の側壁201cを調整することによって、便器アタッチメント100およびボウルセクション201eを濯ぐように洗浄水を向けることができる。
【００２０】
便器アタッチメント100を便器201の背面壁201dに取り付けて、便器201の洗浄に用いる水の消費量を減らすことができる。飛散防止材料402と、臭い除去材料400と、衛生材料401との組合わせによって、便器アタッチメント100の寿命を実質的に延ばすことができる。臭い除去材料400からの芳香によって、アロマセラピーに役立つセラピー効果が与えられる可能性がある。容器102はリユース又はリサイクル可能にすることができ、審美的に心地よい色にすることができる。クロロックス（clorox）、ライゾール（lysol）、過酸化水素、アルコール、漂白剤（1/10）と水道水（9/10）との混合液等といった洗浄剤で容器102を処理することができる。洗浄剤によりバクテリアの増殖を抑えることができる。
【００２１】
好ましからざる物質がドレインに入るのを妨げるために便器201のドレインを便器アタッチメント100の容器102でカバーしてもよい。好ましからざる物質によって、便器201のドレインへの液体の流れが妨げられるおそれがある。好ましからざる物質としては、ガム、タバコ、その他非流動性物質が包含される。排出された液体が容器102にぶつかれば、液体の飛散が回避される。容器102の微粒子材料によって液体が緩衝される。
【００２２】
図３は便器アタッチメント100の内部構造を例示する。便器アタッチメント100に含まれる微粒子材料は図４に例示される。微粒子材料としては、飛散防止材料402、臭い除去材料400および衛生材料401が包含される。容器102にある飛散防止材料402としては、シリカ、軽石、あるいは、過ほう酸ナトリウム四水和物等の水溶性化合物を例示することができる。飛散防止材料402は容器102に排出された液体の少なくとも一部を吸収し、それによって、排出された液体が利用者や便器201の外部に跳ね返ることが軽減される。吸収された液体は臭い除去材料400および衛生材料401と接触する可能性がある。飛散防止材料402は容器102の表面に排出された液体が当たるときの音も低減して、便器102の周囲の騒音低減をももたらす。
【００２３】
容器102にある臭い除去材料400は精油に浸されていてもよい。精油により、芳香性、消臭性、感染防止性および殺菌性の１つ以上を臭い除去材料400に付与することができる。臭い除去材料400は接触した液体を感染防止させ、消臭し、殺菌することができる。臭い除去材料400によって液体から不所望な臭いを除去することができ、心地よい芳香を付与することができる。臭い除去材料400は任意の形状・大きさに調整することができる。臭い除去材料400により利用者への液体の飛散を低減し、液体と非液状物質を分離することができる。臭い除去材料400はビーズ、タブレット、ブリケット（briquette）、粉末、ペレット、ディスペンサの１つ又はそれ以上でよい。臭い除去材料400は液体に溶解するものであっても、不溶のものであってもよい。それぞれのタイプにより独特の芳香をもつ異なるタイプの臭い除去材料を容れる異なる容器をつくってもよい。臭い除去材料400によって与えられる芳香により、アロマセラピーの利点を得ることもでき、そのために便器201の周囲に好ましい臭いを付与することができる。臭い除去材料400によって与えられる芳香により、利用者にリラックス感を与えることができる。
【００２４】
臭い除去材料400としてはアロマビーズを例示することができる。臭い除去材料400には異なるタイプの芳香が組み合わされていてもよい。芳香物質によって、臭い除去材料400に接触することができる液体から不所望な臭いを除去することができる。
【００２５】
容器102にある衛生材料401としては、衛生ビーズ、衛生便器ブロック、衛生タブレット、衛生ブリケット、衛生粉末、衛生ペレット、衛生ディスペンサの１つ以上をあげることができる。容器102にある衛生材料401としては、衛生粉、衛生結晶、衛生酵素のうちの一つを挙げることもできる。酵素としては酵素の胞子を包含することができ、オドライトインターナショナル（登録商標）製のフレグランスマスター、パラフリー便器ブロックに例示される、パラジクロロベンゼン（PARA）フリーの衛生便器ブロックが挙げられる。衛生材料401は染色されていなくてもよい。さらに、衛生材料401は芳香性が無くてもよいし、無色であってもよい。容器102にある衛生材料401は液体を衛生化する。液体および便器201の内側の不所望な微生物の存在が衛生材料401により最少化される。衛生材料401は液体に溶解するものであってもよいし、不溶性であってもよい。衛生材料401は液体および便器201内にいる微生物を完全に不活化するものであってもよい。
【００２６】
衛生材料401としては、オドライトインターナショナル（登録商標）製のフレグランスマスター、パラフリー便器ブロックに例示されるパラジクロロベンゼン（PARA）フリーの衛生便器ブロックが挙げられる。便器ブロックは無臭であってもよいし、染色されていなくてもよい。別の例として、衛生材料401は複数の衛生ビーズを有していてもよい。衛生ビーズは液体不溶性材料からなり衛生材料を含んでいてもよい。
【００２７】
容器102は微粒子材料がこぼれないようにシールされている。開口端および容器102の各々の区画102aに、縫い付け、ヒートシール、ステープル、接着の１つによってシール104が施されていてもよい。シール104は取り外し可能であっても無くてもよい。取り外し可能なシールとしては、ジッパー、フック、ループ留め具等が挙げられる。使用した飛散防止材料402、衛生材料401、臭い除去材料400を補充する際に取り外し可能なシールを取り外すことができる。縫い付け、ヒートシール、または接着によって容器102をシールすることができる。
【００２８】
本明細書で開示する便器アタッチメント100の１つの態様においては、シールされた端には複数の穴（図示せず）を有していてもよい。容器102のシールされた端には複数のパッキング103で固定された複数の穴をもつ伸びない小片101が含まれていてもよい。伸びない小片101は容器102の構造を維持する。伸びない小片101は例えばプラスチックであってもよい。パッキング103および伸びない小片101を留め具105で便器201に容器102を留めるために用いる。シールされた端にあるパッキング103で固定される穴は、容器102を便器201の背面壁201dに固定するために用いることができる。
【００２９】
図５は便器アタッチメント100を便器201に留めるために用いられる留め具を例示する。留め具105により便器201の背面壁201dに容器102が固定される。留め具105は便器201に取り付けられた自己接着性フックであってもよい。自己接着性フックはフックプレート501の一方側に取り付けられたフック502と、フックプレート501の反対側にある耐水接着片とを備える。接着片としては、３Ｍ（商標）製のアドヘッシブトランスファーテープ（Adhesive Transfer Tape）やエイブリィデニソン（Avery Dennison）製の接着耐水片の１つを例示することができる。接着片によりフックプレート501が便器201に取り付けられる。便器201に便器アタッチメントを留めるために吸引カップを用いてもよい。
【００３０】
図６は広告の層600を備える便器アタッチメント100を例示する。広告の層600により広告メッセージが利用者に提示される。広告メッセージは教育的なメッセージでもよいし、動機付けのメッセージでもよいし、インスピレーションメッセージ等でもよい。広告の層600は織布材料からなるものでもよい。繊維材料はポリエチレン(PE)、ポリプロピレン(PP)、ナイロン、ポリテトラフロロエチレン(PTFE)、ポリ塩化ビニル(PVC)、ポリエチレンテレフタレート(PET)、ポリエステル等の耐水材料でもよい。広告の層600に防水及び耐水インクを用いて広告がプリントされていてもよい。防水及び耐水インクとしては、例えば、ヒューレットパッカード（ｈｐ、登録商標）製の防水及び耐水インクを挙げることができる。広告の層600または容器102の表面に広告を印刷するプリンターは、例えば、ヒューレットパッカード（ｈｐ、登録商標）製のプリンターでよい。広告にはロゴ、イメージ、宣伝その他の情報が包含されていてもよい。
【００３１】
一例においては、具体的な便器アタッチメント100の大きさは以下のとおりであってもよい。容器102は幅8.5インチ、長さ17.5インチであってもよい。広告の層600は幅8.5インチ、長さ8.5インチであってもよい。
【００３２】
一実施態様においては、便器アタッチメント100はウォーターフリーの便器に用いられる。この例では、飛散防止材料402として過ほう酸ナトリウム四水和物および天然無害酵素を包含してよい。過ほう酸ナトリウム四水和物には感染防止性および殺菌性を有することができる。
【００３３】
容器102は以下のように構成することができる。シルクを有するオーガンザ（organza）といった2片の薄手の布帛を縫い付けて、開口端をもつ袋を得ることができる。飛散防止材料402、臭い除去材料400および衛生材料401を容器102の区画102aの中に、別々に又は組合わせて入れることができる。２片の薄手の布帛の表面を互いに縫い付け、ヒートシール、ステープル、あるいは、接着することによって区画102aを形成することができる。開口端にある穴の間を伸びない小片101で開口端をシールすることができる。穴を固定するためにパッキング103を用いることができる。開口端をヒートシールすることによって容器102を永続的にシールしてもよい。次いで、留め具105を用いて便器201の背面壁201dに容器102を固定することができる。
【００３４】
上述の例示は説明の目的のためだけになされたものであり、本明細書に開示された方法及びシステムを限定するものとして解されるべきでは無い。種々の形態を参照して本発明が記述されているが、本明細書で用いられる用語は、記述および説明のためのものであって、限定のためのものではないと理解されたい。さらに、本明細書では特定の手段、材料、形態により本発明を記載しているが、本発明は本明細書に開示された態様に限定される意図は無く、むしろ、本発明は、添付の請求項の範囲内における機能的に同等なあらゆる構造、方法、用法に及ぶものである。本明細書の教示を得た当業者においては、本発明の範囲と精神を逸脱することなく、数多くの改良や改変をなすことができるであろう。
【図１】
0005519508.tif 000002
【図２】
0005519508.tif 000003
【図３】
0005519508.tif 000004
【図４】
0005519508.tif 000005
【図５】
0005519508.tif 000006
【図６】
0005519508.tif 000007